(57)【要約】【課題】スーツ等の衣服を携帯して持ち運ぶとき、従来の衣服収容具に比べてかさばらず、楽に持ち運べる衣服収容具を考案すること。【解決手段】主に両端をクリップ状にした棒状体にスーツ等の衣服を巻きつけ、巻きつけたまま硬質樹脂でできた円筒形状の本体部の中に棒状体の一端から挿入して蓋をし、本体部の外側に手提げ・肩掛け用の紐を取りつけることで、従来に比べて持ち運んでいてもかさばらず、楽に持ち運べるようになる。【選択図】　　図１
2004089643.tif 000002
【特許請求の範囲】
【請求項１】
スーツ（８）等の衣服を巻きつけて収容させるために、主に両端にクリップ部（３）を設けた一本の棒状体を巻きつけ棒（２）とし、一面を開放させ上面（４）とし、もう一面を遮閉して底面（５）とした円筒形状の本体部（１）とすることで、巻きつけ棒（２）にスーツ（８）等の衣服を巻きつけたまま、本体部（１）の中へ巻きつけ棒（２）の一端から挿入したあと、取りつけ・取り外し可能な蓋（６）を取りつけ、本体部（１）の外側に手提げ・肩掛け用の紐（７）を設けた携帯していてもかさばらない衣服収容具。
【発明の詳細な説明】
【０００１】
【発明の属する技術分野】
本発明は、着替え用のスーツやフォーマルやワンピースなどの衣服を持ち運ぶとき、巻きつけ棒に巻きつけ、円筒形状の中に挿入したまま持ち運べるようにすることにより、持ち運ぶときにかさばらない衣服収容具に関する。
【０００２】
【従来の技術】
従来は、スーツの上衣を一回り大きくしたような相似形の樹脂フィルムでできた袋状の中に、ハンガーで吊したスーツ等を入れたあと、二つ折りにして、袋の一部から頭を出させたハンガー上部を持って携帯していたが、大体スーツの二つ折りの大きさであったので、かさばる上に頭を出しているハンガー上部だけを持ち続けると指が痛くなるので苦痛であったが、頭を出しているハンガー上部以外を持って運ぶと中の衣服がしわになりやすかったため大変であった。
【０００３】
【発明が解決しようとする課題】
従来の衣服収容具を携帯しようとすると、従来の衣服収容具は、スーツの上衣を一回り大きくしたような相似形で、樹脂フィルムを用いた袋状の中にハンガーに吊したスーツを入れて、上下に二つ折りにした状態で、袋の一部から頭を出させたハンガー上部を持って携帯していたが、衣服収容具自体が大体スーツの二つ折りの大きさであったため持ち運ぶのにかさばり、じゃまになる上に、二つ折りにして収容されているだけなので持ち運んでいると、衣服収容具の中で動いてしわにもなりやすかった。また、持ち運ぶとき、手で持つ部分が衣服収容具の一部から頭を出しているハンガーの上部を持つしかなく、長時間、指を掛けたり、握って持っていると指が痛くなり苦痛であったが、頭を出しているハンガー以外の部分を持つと、衣服が中で動いてしわになりやすかったので、従来の衣服収容具の場合は、苦痛に耐えながら頭を出しているハンガーを上にして手で持ち続けなければならず大変であり、片手で持って運んでいる間はほとんど片手が使えない状態であった。さらに、従来の衣服収容具は、樹脂フィルムを使用しているので、バッグの中に入れて持ち運んでいると、衣服収容具自体が柔らかいので他の荷物に押され、収容している中のスーツ等がしわになるため、バッグの中に入れて一つの荷物として運べないので、片手に衣服収容具、もう一方の手にバッグというように両手を使わないといけないことが多く大変であった。
【０００４】
【課題を解決するための手段】
スーツ等の衣服を収容するとき、従来のように袋に入れて二つ折りにするのではなく、両端にクリップ状を設けた棒状体の巻きつけ棒に巻きつけたまま、主に硬質樹脂製で、一面を開放させ、もう一方の面を遮閉した、内部が空洞の円筒形状の本体部の中に巻きつけ棒の一部から挿入し、開放させた面の蓋を閉めることにより、従来の衣服収容具よりかさばらなくなり、本体の外側に手提げ・肩掛け用の紐を設けることにより、紐を持って持ち運ぶことも、肩から吊して持ち運ぶこともできるようになるので、手も疲れにくく、指に苦痛も生じず持ち運べる上に、肩から吊すことにより両手が使えるようになるのである。また、本体を硬質樹脂にすることで、バッグの中に入れても他の荷物に押されて中の衣服がしわになることもなくなるので、バッグに入れて一つの荷物として運べるのである。さらに、衣服をクリップ状部で留めた上で巻きつけ棒に巻きつけるので、持ち運んでいても衣服収容具の中で衣服が動きにくくなり、従来に比べて衣服収容具の中で動いてしわになることが少なくなるのである。
【０００５】
【発明の実施の形態】
本発明は、スーツ等の衣服を衣服収容具に収容して持ち運ぶとき、従来に比べてかさばらず、持ち運びやすいように、主に円筒形状の本体部の中にスーツ等の衣服を収容するものである。
【０００６】
本体部の形状は、三角柱状や四角柱状や八角形状でも良いが、肩に掛けて持ち運ぶこともあるので、円筒形状にした方が、身体に接触したとき違和感を感じにくいので効果的であり、内部にスーツ等の衣服が挿入できるように空洞になっているのである。
【０００７】
本体部は、巻きつけ棒にスーツ等の衣服を巻きつけたあと、巻きつけ棒の一端から挿入しないといけないので、奥行きは、巻きつけ棒に巻きつけて挿入するスーツ等衣服の横幅以上とし、内径は、スーツ等の衣服を巻きつけ棒に巻きつけたときの太さより大きくして、中に収容できるようにしなければならないのである。
【０００８】
スーツ等の衣服と言っても、種類・サイズと種々あるので、本体部の大きさは、挿入される衣服の種類や男女別・サイズ別に分けることにより、本体内壁と巻きつけ棒に巻きつけて挿入したスーツ等の衣服との間に隙間が少なくなるため、持ち運んでいるときに本体内部で衣服が動きにくくなるので、しわになりにくく効果的である。
【０００９】
また、本体内壁と巻きつけ棒に巻きつけて挿入したスーツ等の衣服との間に隙間を作らないように、本体内壁にスポンジ等を取りつけておくと効果的である。
【００１０】
本体部は、持ち運んでいるとき強く握られたり、他の荷物に押しつぶされそうになることもあるので、硬質樹脂等の硬めの材質にすると、収容しているスーツ等の衣服が押されてしわにならず効果的である。
【００１１】
本体部の外側には、手提げ用や肩掛け用の紐やベルトを取りつけておくと、手で持ったり腕で抱え込んだりする以外に、手に提げたり、肩に掛けて持ち運べるようになるため、長時間携帯でき便利である。
【００１２】
主に円筒形状である本体部の一面を底面とし、常に塞がっていても良いが、もう一面は、スーツ等の衣服を挿入するために開放させ、蓋を使用して開閉できるようにすると効果的である。
【００１３】
巻きつけ棒は、金属にすると重くなったり錆が出たりするので、硬質樹脂製にした方が効果的である。
【００１４】
巻きつけ棒は、スーツ等の衣服を巻きつけなくてはいけないので、巻きつけたときにしわになりやすい三角柱状などに比べて円筒形の棒状体にすると、しわになりにくく効果的であり、巻きつけ棒の内部を空洞にすると軽量になり効果的である。
【００１５】
巻きつけ棒の長さは、本体部の内部の奥行きより長いと、本体内部に挿入しても蓋を閉められなくなるので、本体部にあわせて、本体部の蓋が閉められる長さにする必要がある。
【００１６】
巻きつけ棒の太さは、スーツ等の衣服を巻きつけた際に、本体部の内径より細くできないと挿入できず、太すぎると巻きつけ棒にスーツ等の衣服を巻きつけたまま本体部の中へ挿入しづらくなるので、本体部の内径と、巻きつけるスーツ等の衣服の種類やサイズ等を考慮して決めると効果的である。
【００１７】
巻きつけ棒は、両端をクリップ状にすることにより、本体部に挿入して持ち運ぶとき、本体部の中で挿入した巻きつけ棒に巻かれたスーツ等の衣服が動きにくくなるのでしわになりにくくなり効果的である。
【００１８】
巻きつけ棒の表面にスポンジ等を取りつけておけば、巻きつけ棒と巻きつけるスーツ等の衣服の緩衝材となり、特にしわの目立ちやすいフォーマル衣服を収容するときに効果的である。
【００１９】
巻きつけ棒にスーツ等の衣服を巻きつけるときは、巻きつけてもしわになりにくい方向に巻きつけた方が良いので、スーツの場合は、上衣の上に、二つ折りにしたズボンを重ねて裾の方から襟の方向へ巻きつけ、本体部に挿入した方がしわを作りにくく、また、スーツを左右方向に巻きつける場合に比べて本体部の長さを短くできるので効果的である。
【００２０】
【実施例】
実施例について図面を参照して説明すると、図１において、主に円筒形状で内部を空洞とした本体部（１）の一面を塞ぎ底面（５）とし、もう一方の面を開放させた上面（４）とし、上面（４）には、取りつけ・取り外しができる蓋（６）を設けて取りつけ、本体部（１）の外側に肩掛け用の紐（７）を取りつける。さらに、本体部（１）の中に挿入するための両端をクリップ部（３）とする棒状体の巻きつけ棒（２）を設ける。
【００２１】
図２では、本発明の分解図を示すもので、本体部（１）は、主に円筒形状で内部が空洞であり、一方の面は塞ぎ底面（５）とし、もう一方の面は開放させ上面（４）とし、開放させた上面（４）には取りつけ・取り外しが可能な蓋（６）を取りつける。巻きつけ棒（２）は、両端にクリップ部（３）を設けた棒状体で、巻きつけ棒（２）にスーツ（８）等の衣服を巻きつけたあと本体部（１）の中に収容するのである。
【００２２】
図３では、巻きつけ棒（２）にスーツ（８）を巻きつけるときの巻きつけ方を示すもので、スーツ（８）の上衣の上にズボンを二つ折りに重ねて置き、上衣の裾側をクリップ部（３）に挟み、上衣の裾側からズボンも一緒に上衣の襟側に向かって巻きつけているのである。
【００２３】
図４では、巻きつけ棒（２）を本体部（１）に挿入する方法を示しており、巻きつけ棒（２）にスーツ（８）を巻きつけたまま、巻きつけ棒（２）の一端を本体部（１）の開放させた上面（４）から挿入していき、挿入後に蓋（６）を閉めるのである。
【００２４】
図５では、本発明の使用状態を示す図であり、巻きつけ棒（２）に巻きつけたスーツ（８）を本体部（１）の内部に収容したまま、本体部（１）の外側に取りつけた肩掛け用の紐（７）を使い本体部（１）を肩に掛けて持ち運ぶのである。
【００２５】
本体部（１）の表面は、持ち運びに不便でなければ効果には影響がないのでどのようなデザインでも、押突があっても良いのである。
【００２６】
巻きつけ棒（２）に設けたクリップ部（３）は、両端に設けた方が巻きつけたスーツ（８）等の衣服が動きにくくなるので効果的だが、どちらか一端にだけ設けるだけでも良く、また、スーツ（８）等の衣服は、巻きつけ棒（２）に巻かれていてある程度動きづらくなっているので、必ず設けなくてはならない物でもないのである。
【００２７】
本体部（１）の開放させた上面（４）に取りつける蓋（６）は、取りつけ・取り外しが容易にできれば、図に示すようなネジ切りをして蓋（６）を回して本体部（１）から取りつけたり、取り外したりする以外の形状や方法でなくても良いのである。
【００２８】
本体部（１）の外側に取りつける紐（７）の取りつけ位置は、肩掛け用の場合、手提げ用の場合があるので図に示す以外の位置に設けても良く、また、長さが調節できるようにベルトなどを用いても良いのである。
【００２９】
【発明の効果】
本発明は、以上述べてきたような内容で実施され、以下に記載されるような効果を奏する。
【００３０】
本発明は、スーツ等の衣服を棒状体の巻きつけ棒に巻きつけた上、本体部である硬質樹脂の円筒形状の容器に入れて持ち運べるため、二つ折りにして持ち運ぶ従来の衣服収容具に比べてかさばらないので便利である。
【００３１】
本発明は、本体部にスーツ等の衣服を収容し、本体部の外側に手提げ・肩掛け用の紐を取りつけることにより、手で提げたり、肩に掛けて持ち運ぶことができ、従来のように、衣服収容具から頭を出しているハンガーを指でつまんで持ち運んでいて指が痛くなることもないのである。
【００３２】
本発明は、長時間持ち運んでいても従来のように指が痛くならない上に、設計図を巻いて収容して持ち運ぶような容器にスーツ等の衣服を収容しているので、顧客との面談に持っていってもおかしくないため、旅行や出張に便利である。
【００３３】
硬質樹脂でできた本体部の中にスーツ等の衣服を収容しているのでどの部分を持っても良く、従来のように衣服収容具から頭を出しているハンガー以外の部分を持って運んでしわになるようなことがないのである。
【００３４】
従来の衣服収容具は、柔らかい樹脂フィルムを袋状にして、中にスーツ等の衣服を収容していたので、そのまま大きめのバッグの中に他の荷物と一緒に入れて一個の荷物としようとしても、他の荷物に押しつぶされて中のスーツ等の衣服がしわになるため、片手に衣服収容具を持ち、もう一方の手にバッグを分けて持ち運ばざるを得なかったが、本発明の本体部は硬質樹脂でできているため、バッグの中に入れて他の荷物と一緒になっても、他の荷物に押しつぶされることで、収容しているスーツ等の衣服がしわになることはないのである。
【００３５】
本発明を使用することによって、大きめのバッグの中に他の荷物と一緒に入れて持ち運んでも差し障りがないので、荷物をバッグ一個口の荷物にすることができるようになり、もう一方の手が空くので携帯電話を掛けながら歩行することや、バッグを片手に持ちながらもう一方の手で切符を買うこともできるなど、もう一方の手が使え便利である。
【００３６】
本発明は、ビジネススーツ・フォーマルに限らず、また、男女を問わず、なるべく、しわにならずに持ち運びたいときに使用でき便利である。
【図面の簡単な説明】
【図１】本発明の透視図である。
【図２】本発明の分解図である。
【図３】本発明の巻きつけ方法を示す図である。
【図４】本発明の使用状態を示す図である。
【符号の説明】
１　本体部
２　巻きつけ棒
３　クリップ部
４　上面
５　底面
６　蓋
７　紐
８　スーツ
【図１】
2004089643.tif 000003
【図２】
2004089643.tif 000004
【図３】
2004089643.tif 000005
【図４】
2004089643.tif 000006
【図５】
2004089643.tif 000007
【手続補正書】
【提出日】平成14年11月11日(2002.11.11)
【手続補正１】
【補正対象書類名】明細書
【補正対象項目名】図５
【補正方法】追加
【補正の内容】
【図５】本発明の使用状態を示す図である。